(57)【要約】【課題】  ハンドルを握りながら右手を置いて楽に遊戯できると共に、右手が置かれて一方に荷重を掛けても箱本体左辺底部が浮き上がるのが防がれ、しかも、コンパクトな大きさを有するパチンコ玉箱を提供することを目的とする。【解決手段】  箱本体１の左右側壁12，13の上部に、運搬用把持部２，３を夫々左右へ突設した。右側の把持部３は、右手５を載せる手置き平面部38を上面30に有する。かつ、把持部３の手置き平面部38の下面に、パチンコ台８前のステージ７上に当接して右手５から掛けられる荷重を支持する支持棒部32を、垂設した。また、箱本体１の左側壁12と手前壁11とのコーナー部15に、飲料容器又は灰皿を置くための有底円筒状の受け部４が付設された。また、左右の把持部２，３は、下方へ弯曲凸状の下壁部23，33を有する中空殻構造である。【選択図】  図３
2007209577.tif 000002
【特許請求の範囲】
【請求項１】
箱本体（１）の左右側壁（12)(13）の上部（12ａ)(13ａ）に、運搬用把持部（２)(３）を夫々左右へ突設したパチンコ玉箱に於て、右側の該把持部（３）は、右手（５）を載せる手置き平面部（38）を上面（30）に有し、かつ、該把持部（３）の該手置き平面部（38）の下面（31）に、パチンコ台（８）前のステージ（７）上に当接して上記右手（５）から掛けられる荷重を支持する支持棒部（32）を、垂設したことを特徴とするパチンコ玉箱。
【請求項２】
上記箱本体（１）の左側壁（12）と手前壁（11）とのコーナー部（15）に、飲料容器又は灰皿を置くための有底円筒状の受け部（４）が付設された請求項１記載のパチンコ玉箱。
【請求項３】
上記左右の把持部（２)(３）は、下方へ弯曲凸状の下壁部（23)(33）を有する中空殻構造である請求項１又は２記載のパチンコ玉箱。
【請求項４】
左側の上記把持部（２）は、小物収納凹部（22）を上方開口状に有する請求項１，２又は３記載のパチンコ玉箱。
【請求項５】
上記箱本体（１）において、上記左右側壁（12)(13）の両下縁部（12ｂ)(13ｂ）は、パチンコ台（８）前のステージ（７）の手前端縁の起立片部（７ａ）が係止する係止切欠部（16)(16）が、形成された請求項１，２，３又は４記載のパチンコ玉箱。
【請求項６】
上記受け部（４）は、上縁部（40）の手前側に切欠部（41）が形成され、該受け部（４）に灰皿（27）を置いて火の点いたタバコを保持する場合に、該タバコの灰が該切欠部（41）を通って落下するように構成されている請求項２，３，４又は５記載のパチンコ玉箱。
【請求項７】
上記右側の把持部（３）の手置き平面部（38）に凹部（36）が形成され、該凹部（36）に、上記右手（５）の下敷き用のクッション材（６）が敷設された請求項１，２，３，４，５又は６記載のパチンコ玉箱。
【請求項８】
上記支持棒部（32）は中空状に形成されて収納空洞（37）を有すると共に、該収納空洞（37）が、上記右側の把持部（３）の上面（30）に開口し、
そして、一の箱本体（１Ａ）上に他の箱本体（１Ｂ）を積み重ねると、上記一の箱本体（１Ａ）の収納空洞（37Ａ）に、上記他の箱本体（１Ｂ）の支持棒部（32Ｂ）が挿入されるように構成される１，２，３，４，５，６又は７記載のパチンコ玉箱。
【発明の詳細な説明】
【技術分野】
【０００１】
本発明は、パチンコ玉箱に関するものである。
【背景技術】
【０００２】
従来のパチンコ玉箱として、箱本体の右側壁の上端縁に、手置き用の平板部が水平に突設されていて、この平板部に右手を置いてパチンコ台のハンドルを握ることができるものが知られている（例えば、特許文献１参照）。そして、この平板部の右端縁が下方へ折曲げられて、縦方向の板状の支持部が形成されており、右手を手置き用の平板部に置いて荷重が掛かる場合に、支持部の下端がステージ上に支持することで、箱本体の左辺底部が浮いたり、ひっくり返るのを回避するものである。
【特許文献１】特開２００４−２４４９８公報
【発明の開示】
【発明が解決しようとする課題】
【０００３】
この従来のパチンコ玉箱は、板状の支持部が、右側壁の右方に離間した位置で垂れ下がり状となって広いスペースを占めるので、ステージ上に置いた場合に右側のスペースが狭くなってしまう。また、持ち運んだり収納する場合には、この支持部が邪魔になってしまう。また、支持部に、運搬時の把持用の開口部が横長状に形成されているが、多数のパチンコ玉を箱本体に入れた（重い）状態で運搬する場合には、開口部の上辺部が手のひらにくい込んで手を痛める虞れがある。
【０００４】
そこで、本発明は、ハンドルを握りながら右手を置いて楽に遊戯できると共に、右手が置かれて一方に荷重を掛けても箱本体の左辺底部が浮き上がるのが防がれ、しかも、コンパクトな大きさに形成されたパチンコ玉箱を提供することを目的とする。
【課題を解決するための手段】
【０００５】
上記の目的を達成するために、本発明に係るパチンコ玉箱は、箱本体の左右側壁の上部に、運搬用把持部を夫々左右へ突設し、右側の該把持部は、右手を載せる手置き平面部を上面に有し、かつ、該把持部の該手置き平面部の下面に、パチンコ台前のステージ上に当接して上記右手から掛けられる荷重を支持する支持棒部を、垂設したものである。
【０００６】
また、上記箱本体の左側壁と手前壁とのコーナー部に、飲料容器又は灰皿を置くための有底円筒状の受け部が付設された。
また、上記左右の把持部は、下方へ弯曲凸状の下壁部を有する中空殻構造である。
また、左側の上記把持部は、小物収納凹部を上方開口状に有する。
【０００７】
また、上記箱本体において、上記左右側壁の両下縁部は、パチンコ台前のステージの手前端縁の起立片部が係止する係止切欠部が、形成された。
また、上記受け部は、上縁部の手前側に切欠部が形成され、該受け部に灰皿を置いて火の点いたタバコを保持する場合に、該タバコの灰が該切欠部を通って落下するように構成されている。
【０００８】
また、上記右側の把持部の手置き平面部に凹部が形成され、該凹部に、上記右手の下敷き用のクッション材が敷設された。
また、上記支持棒部は中空状に形成されて収納空洞を有すると共に、該収納空洞が、上記右側の把持部の上面に開口し、そして、一の箱本体上に他の箱本体を積み重ねると、上記一の箱本体の上記収納空洞に、上記他の箱本体の支持棒部が挿入されるように構成される。
【発明の効果】
【０００９】
本発明は、次のような著大な効果を奏する。
本発明に係るパチンコ玉箱は、箱本体の右把持部の上面の広い手置き平面部に右手を置けるので、遊戯を長時間行っても疲れることなく楽しめる。また、右把持部の下面に垂設された支持棒部によってステージ上（上面）に支持されており、箱本体の片一方（右把持部）に荷重が加わっても、箱本体の左辺底部が浮いたり、ひっくり返ることがない。しかも、支持棒部は右把持部廻りに多くのスペースをとらないので、邪魔にならない。
【００１０】
また、箱本体の左側壁と手前壁とのコーナー部に設けた受け部に、飲料容器又は灰皿を置くことができるので、飲料容器や灰皿の置き場所を確実に確保でき、例えば、隣で遊戯する人のものと混同してしまうことがない。また、飲料容器を置けば、（ハンドルを握らない）左手で遊戯中に簡単に手に取って飲むことができ、また、灰皿を置けば、遊戯をしながらであっても容易にタバコを置いたり、手に取ったりできる。
【００１１】
また、把持部は、下方へ弯曲凸状の下壁部を有するので、把持し易く、しかも、パチンコ玉が大量に入った状態で運搬する際にも、手を痛めない。また、把持部を中空殻構造にすれば箱本体の軽量化を図り得る。
【発明を実施するための最良の形態】
【００１２】
以下、実施の形態を示す図面に基づき、本発明を詳説する。
図１〜図10は本発明に係るパチンコ玉箱の実施の一形態を示し、このパチンコ玉箱は、左側壁12・右側壁13と、手前壁11・奥壁14と、底壁10とを有する箱本体１を備え、左右側壁12，13の上部12ａ，13ａに、運搬用把持部２，３（以下、夫々「左把持部２」「右把持部３」という。）が左右方向へ突設されている。
【００１３】
先ず、図１〜図６に示したように、右把持部３は、下方へ弯曲凸状の下壁部33を有する中空殻構造である。具体的には、右把持部３は、右側壁13の上部13ａに外鍔状に形成された突片辺部39と、右側壁13の外面に前後に所定間隔をもって突設された一対の板片35，35と、該板片35，35に挟まれて連結状に一体形成された下方へ弯曲凸状（正面視略Ｕ字状）の下壁部33と、下壁部33の上縁部に施蓋状に固着されて上記平板状の突片辺部39と連続平坦面を成す手置き蓋体34と、を有する。即ち、右把持部３の上面30は、手置き蓋体34の上面と突片辺部39の上面とから、連続平坦面状の（右手５を置くのに十分な広さを有する）手置き平面部38が形成され、この手置き平面部38上に、遊戯者の右手５が載せられる。手置き蓋体34と下壁部33との間に中空が形成されるので、右把持部３は中空殻構造となって、強度と剛性が大きくなる。また、下壁部33は右側壁13から離間して配設されて右側壁13との間に間隙47が形成されており（図４参照）、運搬の際に右手で下壁部33を握るとき、その間隙47に各指を差し込むことができて持ち易い。また、下壁部33の下部は、各指がフィットするように、（前後方向へ）小波形（小凹凸）状に形成されている。
【００１４】
また、右把持部３の手置き平面部38の下面31に、パチンコ台８前のステージ７上に当接して（右手５の）荷重を支持する支持棒部32が、垂設されている。具体的には、上記突片辺部39の手前寄りの下面31に、細長円筒状の支持棒部32が一体状に垂設されていて、支持棒部32の内部に形成された収納空洞37が、突片辺部39の上面に開口している。また、支持棒部32は、上下中間部に小段差状部が形成され、上部よりも下部が小径状である。また、支持棒部32は、左右側壁12，13の下縁部12ｂ，13ｂに沿う位置までの長さを有し、箱本体１をステージ７上面に置いた場合に、支持棒部32の下端もステージ７上面に当接する。
【００１５】
また、右把持部３の手置き平面部38に浅くかつ広い凹部36が形成される。この凹部36は、突片辺部39と手置き蓋体34の各上面に形成された浅い凹部が連続状となって、形成される。そして、凹部36に、右手５の下敷きとなる薄い布・スポンジ・ゴム等のクッション材６が敷設される。
【００１６】
次に、図１〜図４、及び、図７に示したように、左把持部２は、下方へ弯曲凸状の下壁部23を有する中空殻構造である。具体的には、左把持部２は、左側壁12の上部12ａに外鍔状に形成された突片辺部26と、左側壁12の外面に前後に所定間隔をもって突設された一対の板片25，25と、該板片25，25に挟まれて連結状に一体形成された下方へ弯曲凸状（正面視略Ｕ字状）の下壁部23と、小物収納凹部22を上方開口状に有し下壁部23の内部に上方から嵌込まれる矩形小容器部24と、を有する。小容器部24の上端縁には外鍔部が形成されており、小容器部24が下壁部23に上方から嵌込まれて、小容器部24の外鍔部が下壁部23の上端縁に固着される。小容器部24と下壁部23との間に中空が形成されるので、左把持部２は中空殻構造となって、強度と剛性の増大を図り得る。また、下壁部33の下面は、各指がフィットするように、（前後方向に）小波形（小凹凸）状に形成される。
【００１７】
また、左側壁12と手前壁11とのコーナー部15に、飲料容器又は灰皿を置くための有底円筒状の受け部４が付設されている。受け部４は、底面部42と上縁部40との上下中間位置に周状段部43が形成されて、上側円筒部の内径が下側円筒部の内径より大きい。細い飲料容器28等が受け部４内に入れられると底面部42上に載り（図８（Ｂ）参照）、受け部４の下側円筒部の内径より大きい灰皿27等は、周状段部43上に載ることになる（図８（Ａ）参照）。受け部４は、その一部（右奥の部位）が左側壁12と手前壁11のコーナー部15において内部に突出状に配設されており、左側壁12と手前壁11の内面は、受け部４を避けるように平面視円弧状の弯曲壁面部19をもって連続状に形成されている。受け部４の上縁部40は上記突片辺部26に連続状に形成されている。
また、受け部４は、上縁部40の手前側に切欠部41が形成されている。そして、受け部４に灰皿27を置いて火の点いたタバコを保持する場合に、タバコの灰が切欠部41を通って落下するため、上縁部40に掛かるのが回避される（図９参照）。
【００１８】
また、底壁10は、左右側壁12，13、及び、手前壁11・奥壁14の内面に、夫々の下端から一定間隔上げ底状に一体形成されている。そして、左右側壁12，13の両下縁部12ｂ，13ｂの手前寄り部には、係止切欠部16，16が形成される。パチンコ台８前の（パチンコ玉箱を置くための）ステージ７は、手前端縁に沿って（通常）起立片部７ａが形成されており、箱本体１をステージ７上面に置いたとき、この起立片部７ａが箱本体１の係止切欠部16，16に係止し、箱本体１が手前に不意にずれるのが防がれる。
【００１９】
また、底壁10は、中央奥寄り部に、１個のパチンコ玉18が嵌込まれる静電気放出用の玉嵌込部17が下方へ突設される。玉嵌込部17は、下方へ縮径状に突設されると共に、パチンコ玉18をステージ７上面に当接させるための孔部が下部に貫孔されている。
なお、箱本体１の左右側壁12，13、及び、手前壁11・奥壁14・底壁10・受け部４・支持棒部32は、樹脂剤等から一体に形成されるが、左右把持部２，３の矩形小容器部24・手置き蓋体34は別部材として形成されて箱本体１に固着される。
【００２０】
また、図10に示したように、一の箱本体１Ａの収納空洞37Ａの上方から、他の箱本体１Ｂの支持棒部32Ｂが挿入可能であり、一の箱本体１Ａ上に他の箱本体１Ｂを積み重ね可能となる。なお、箱本体１，１を積み重ね状としたとき、他の箱本体１Ｂの左板片25，25と右板片35，35が、一の箱本体１Ａの左右把持部２，３の上面に当接する。
【００２１】
次に、本発明のパチンコ玉箱の使用について説明すると、図１，図３に示したように、遊戯者は、右手５を右把持部３の手置き平面部38上に置いた状態でパチンコ台８のハンドル９を握って、遊戯することになる。これにより、遊戯を長時間続けても、右手５は疲れず、また、手置き平面部38にクッション材６を敷設しておけば、右手５の下部へ掛かる負担が和らげられる。そして、右手５を右把持部３に載せることにより右把持部３が荷重を受けるが、支持棒部32がステージ７上面に支持するため、パチンコ玉が空の状態や少ない（軽い状態の）場合でも、箱本体１の左辺底部が浮いたり、ひっくり返ることがない。
【００２２】
また、図８（Ｂ）に示したように、受け部４に細い飲料容器28を入れると底面部42上に置かれて、また、図８（Ａ）に示したように、径の大きな灰皿27を受け部４に入れると、周状段部43に係止状に置かれる。このように、入れるものの径の大きさに応じて保持でき、無駄な間隙ができず不意に動いてしまうのを防ぐことができると共に、灰皿27のように浅いものであっても受け部４の上縁部40上に突出させて保持できる。そして、図３，図９に示したように、受け部４に灰皿27を入れて用いる場合に、灰皿27に置いたタバコから落ちた火のついた灰は、切欠部41を通って、上縁部40に掛かることなく下方へ落ちる。これにより、受け部４が焦げることがない。あるいは、この受け部４には、タバコの箱・ライターや携帯電話等の小物を入れてもよい。また、左把持部２の小物収納凹部22にも、これらの小物を入れて保持できる。
そして、箱本体１を運搬する場合、両把持部２，３の下壁部23，33を握りながら運搬することになり、手が下壁部23，33にフィットして、パチンコ玉が入って重い状態でも、手が痛まない。
【００２３】
以上のように、本発明に係るパチンコ玉箱は、箱本体１の左右側壁12，13の上部12ａ，13ａに、運搬用把持部２，３を夫々左右へ突設したパチンコ玉箱に於て、右側の把持部３は、右手５を載せる手置き平面部38を上面30に有し、かつ、把持部３の手置き平面部38の下面31に、パチンコ台８前のステージ７上に当接して右手５から掛けられる荷重を支持する支持棒部32を、垂設したものなので、右手５を手置き平面部38上に置くことで、右手５（右腕）を疲労させずに長時間遊戯を楽しめる。また、支持棒部32によってステージ７上面に支持されるので、右手５を右把持部３に載せて箱本体１の片一方（右把持部３）に荷重が加わる際に、箱本体１内にパチンコ玉が入っていない場合等であっても、箱本体１の左辺底部が浮いたり、ひっくり返ることがない。しかも、支持棒部32は右把持部３廻りに多くのスペースをとらないので（省スペースのものなので）、邪魔にならない。
【００２４】
また、箱本体１の左側壁12と手前壁11とのコーナー部15に、飲料容器又は灰皿を置くための有底円筒状の受け部４が付設されているので、飲料容器や灰皿の置き場所を確実に確保でき、例えば、隣で遊戯する人のものと混同してしまうことがない。また、（ハンドルを握らない）左手の側に受け部４が設けられるので、飲料容器を置けば、左手で遊戯中に簡単に手に取って飲むことができ、また、灰皿を置けば、遊戯中であっても容易にタバコを置いたり、手に取ったりできる。
【００２５】
また、左右の把持部２，３は、下方へ弯曲凸状の下壁部23，33を有する中空殻構造であるので、箱本体１を運搬する際に把持し易く、しかも、パチンコ玉を大量に入れて運搬する際にも、手を痛めない。また、中空状に形成されているため、箱本体１の軽量化を図り得る。特に、重いパチンコ玉等を持ち上げる際に左右把持部２，３に大きな曲げ力が作用するが、中空殻構造であるため、強度と剛性が大であって耐え得る。
【００２６】
また、左側の把持部２は、小物収納凹部22を上方開口状に有するので、遊戯中に、携帯電話や、タバコの箱・ライター等を入れておくことができて、箱本体１の把持部２を有効に用いることができる。そして、遊戯中であっても遊戯の妨げとなることなく、これらの小物を容易に出し入れできる。
【００２７】
また、箱本体１において、左右側壁12，13の両下縁部12ｂ，13ｂは、パチンコ台８前のステージ７の手前端縁の起立片部７ａが係止する係止切欠部16，16が、形成されているので、遊戯中に箱本体１が手前側に不意にずれるのを防止でき、ステージ７上から不意に落下することがない。
【００２８】
また、受け部４は、上縁部40の手前側に切欠部41が形成され、受け部４に灰皿27を置いて火の点いたタバコを保持する場合に、タバコの灰が切欠部41を通って落下するように構成されているので、火の点いた灰によって受け部４の上縁部40が焦がされることがなく、損傷を防ぐことができる。
【００２９】
また、右側の把持部３の手置き平面部38に凹部36が形成され、凹部36に、右手５の下敷き用のクッション材６が敷設されているので、右手５の下部へ掛かる負担が和らげられて、長時間遊戯を楽しむことができる。
【００３０】
また、支持棒部32は中空状に形成されて収納空洞37を有すると共に、収納空洞37が、右側の把持部３の上面30に開口し、そして、一の箱本体１Ａ上に他の箱本体１Ｂを積み重ねると、一の箱本体１Ａの収納空洞37Ａに、他の箱本体１Ｂの支持棒部32Ｂが挿入されるように構成されるので、把持部３の下部に支持棒部32が突設しているにも関わらず、二以上の箱本体１を重ねて保持でき、コンパクトに積み重ねる（片付ける）ことができる。
【図面の簡単な説明】
【００３１】
【図１】本発明に係るパチンコ玉箱の実施の一形態を示す斜視図である。
【図２】平面図である。
【図３】正面図である。
【図４】図２のＡ−Ａ断面図である。
【図５】右側面図である。
【図６】図２のＢ−Ｂ断面図である。
【図７】左側面図である。
【図８】図２のＣ−Ｃ断面図であって、（Ａ）は灰皿を置く状態を示す説明断面図で、（Ｂ）は飲料容器を置く状態を示す説明断面図である。
【図９】図２のＤ−Ｄ断面図である。
【図１０】説明用要部正面断面図である。
【符号の説明】
【００３２】
１，１Ａ，１Ｂ  箱本体
２  把持部
３  把持部
４  受け部
５  右手
６  クッション材
７  ステージ
７ａ  起立片部
８  パチンコ台
11  手前壁
12  側壁
12ａ  上部
12ｂ  下縁部
13  側壁
13ａ  上部
13ｂ  下縁部
15  コーナー部
16  係止切欠部
22  小物収納凹部
23  下壁部
27  灰皿
30  上面
31  下面
32，32Ｂ  支持棒部
33  下壁部
36  凹部
37，37Ａ  収納空洞
38  手置き平面部
40  上縁部
41  切欠部
【図１】
2007209577.tif 000003
【図２】
2007209577.tif 000004
【図３】
2007209577.tif 000005
【図４】
2007209577.tif 000006
【図５】
2007209577.tif 000007
【図６】
2007209577.tif 000008
【図７】
2007209577.tif 000009
【図８】
2007209577.tif 000010
【図９】
2007209577.tif 000011
【図１０】
2007209577.tif 000012